(57)【要約】【課題】  条件検出による通話終了装置および方法を提供する。【解決手段】  本発明は、ユーザーが自分の移動通信端末の通話中自動終了のために時間および音声のいずれか一つを設定し、ユーザーの通話中に設定された条件のうちいずれか一つが検出されると通話を自動的に終了することができる、条件検出による通話終了装置および方法を提供する。【選択図】図１
2015527789.tif 000002
【特許請求の範囲】
【請求項１】
通話終了の条件が設定される設定部と、
前記設定部で設定した終了条件および取消条件を保存する終了条件保存部と、
前記終了条件保存部で保存された通話終了条件を検出する終了条件検出部と、
音声信号、音声メッセージおよびメールを送受信する通信部と、
前記通信部を介して受信された或いは保存部に保存された音声メッセージを出力する音声出力部と、
前記設定部で設定された通話終了条件を前記終了条件保存部に保存し、前記通信部を介して音声信号が送受信される通話中に前記終了条件検出部から終了条件検出信号が印加されると、前記通信部をオフにして通話を終了する制御部とを含んでなり、
前記設定部で設定された通話終了条件は、音声信号、入力キーの選択信号および通話時間のうちいずれか一つであり、
前記設定部は、入力される通話終了条件が検出された後に終了を取り消すように設定された終了取消条件を前記終了条件保存部に保存し、
前記終了取消条件は、音声信号および入力キーのうちいずれか一つに設定されることを特徴とする、条件検出による通話終了装置。
【請求項２】
前記条件検出による通話終了装置は、
前記終了条件検出部で通話終了条件が検出された後に前記終了取消条件の入力を感知して前記制御部へ終了取消条件検出信号を出力する終了取消管理部をさらに含むことを特徴とする、請求項１に記載の条件検出による通話終了装置。
【請求項３】
前記条件検出による通話終了装置は、
前記制御部で通話終了条件の検出に応じて前記通信部をオフにする前に、前記音声出力部を介して出力する通話終了を知らせる音声メッセージが保存された保存部をさらに含むことを特徴とする、請求項１に記載の条件検出による通話終了装置。
【請求項４】
通話中に自動的に通話を終了するための通話終了条件、および通話終了条件が検出された後に通話終了を取り消すように終了取消条件を設定する条件設定段階と、
前記条件設定段階で設定された通話終了条件が検出されると、通話を終了させる通話終了段階とを含んでなり、
前記条件設定段階で設定される通話終了条件は、携帯端末のユーザーが音声で入力する音声信号、多数の入力キーの中から選ばれたいずれか一つの入力キー、および通話時間のうちいずれか一つであり、
前記終了取消条件は、入力される音声信号、または多数の入力キーの中から選ばれたずれか一つの入力キーの選択信号であることを特徴とする、条件検出による通話終了方法。
【請求項５】
前記条件設定段階は、
携帯端末に設置された入力キーの操作によってアプリケーション駆動信号が印加されると、アプリケーションを駆動させるアプリケーション駆動段階と、
前記アプリケーション駆動段階で駆動されたアプリケーションを介してユーザーが通話終了条件を設定する入力条件受信段階と、
前記入力条件受信段階で音声入力、通話時間およびキー入力のいずれか一つを介して通話終了条件が入力されるかを判断する判断段階と、
前記判断段階で入力された通話終了条件を保存する保存段階とを含んでなることを特徴とする、請求項４に記載の条件検出による通話終了方法。
【請求項６】
前記入力条件受信段階は、前記アプリケーション駆動段階で駆動されるアプリケーションを介して通話終了条件が検出された後に通話終了を取り消すように終了取消条件を設定することを特徴とする、請求項５に記載の条件検出による通話終了方法。
【請求項７】
前記通話終了段階は、
携帯端末の通話中に前記通話終了条件が検出されるかを判断する条件検出判断段階と、
前記条件検出判断段階で通話終了条件が検出されると、設定された待ち時間をカウントする待ち時間終了判断段階と、
前記待ち時間終了判断段階で設定された待ち時間の間に終了取消条件が検出されるかを判断する取消判断段階と、
前記待ち時間終了判断段階で設定された待ち時間の間に終了取消条件が検出されなければ、通話を終了する音声案内メッセージを出力する段階とを含むことを特徴とする、請求項４〜６のいずれか１項に記載の条件検出による通話終了方法。
【発明の詳細な説明】
【技術分野】
【０００１】
本発明は、条件検出による通話終了装置および方法に係り、詳しくは、ユーザーが自分の移動通信端末の通話中自動終了のために時間および音声のいずれか一つを設定し、ユーザーの通話中に設定された条件のいずれか一つが検出されると、通話を自動的に終了することができる、条件検出による通話終了装置および方法に関する。
【背景技術】
【０００２】
現在、アンテナ、無線送受信手段、エンコード／デコード手段、音声出力手段、音声入力手段、および入力手段を備えた無線通信端末機の中でも最も普遍化され一般に使用されている携帯端末（スマートフォン、ＰＤＡ、携帯電話）は、携帯電話を使用した後、終了ボタンを押して終了させることで、通信会社の基地局で携帯電話の終了を認識するようになっている。よって、終了ボタンを押さないでフォルダー部またはスライド部を閉じる場合には、通信会社の基地局では通信障害として認識し、携帯電話の機種または内蔵されたソフトウェアに応じて、長くは約１０秒信号を送ることになっている。
【０００３】
携帯端末の軽薄短小化に伴って小さな終了ボタンを押すことが容易でないため、携帯端末のユーザーが終了ボタンを押さないでフォルダー部を折り畳むかスライド部を閉じて通話を終了する場合が一般的であって、携帯端末を用いた通話の終了時ごとに、通信会社の基地局では数秒間信号を送ることになり、全世界的にみて莫大な費用がかかる電波が無駄に浪費されるだけでなく、携帯電話のユーザーも通話終了時ごとに税引前費用として少なくない費用を負担している実情である。
【０００４】
また、携帯端末の発展過程における主な関心事は、小型化、軽量化、薄型化であったと言える。よって、携帯端末に設けられた各種ボタンを用いる際にもかなり注意を払わなければ目的のボタンを押すことができないほどに小型化がなされている。よって、携帯端末で通話をした後にも通話終了ボタンを押すことが容易でないため、通話終了ボタンを押す代わりに、折畳式携帯端末の場合はフォルダー部を閉じることで通話を終了することが普遍的であるといえる。
【発明の概要】
【発明が解決しようとする課題】
【０００５】
このような携帯端末の開発の傾向または趨勢に従って最近市場に登場するスマートフォンの場合も、あまり変わっていないので、従来の問題、すなわち通話終了時に別途の入力キーを用いた通話終了を行わなければならない不便な問題や、無駄なエネルギーの浪費による費用追加負担の問題などがあって、改善が至急求められている。
【課題を解決するための手段】
【０００６】
本発明は、上述したような従来の問題点を解決するためになされたもので、その目的は、ユーザーの入力された音声、通話開始後の設定された時間、および通話終了選択信号を出力するように自由に設定することが可能な入力キーのうち少なくとも一つで通話終了の条件を設定し、前記通話終了条件が検出されると自動的に通話を終了する、条件検出による通話終了装置および方法を提供することにある。
【発明の効果】
【０００７】
本発明は、上述したように通話時間、ユーザーの音声入力、およびユーザーが任意に選択および設定する入力キーによる通話終了の条件を設定し、前記通話終了条件が検出されると自動的に通話を終了することができるため、ユーザーの便宜性および無駄な通信時間の追加による追加費用の支出を防止することができてユーザーの便宜性および経済性に利益を与えることができるという効果がある。
【図面の簡単な説明】
【０００８】
【図１】本発明に係る条件検出による通話終了装置を示すブロック図である。
【図２】本発明に係る条件検出による通話終了方法における条件設定段階を示す順序図である。
【図３】本発明に係る条件検出による通話終了方法における通話終了段階を示す順序図である。
【発明を実施するための形態】
【０００９】
本発明は、上記の目的を達成するために、下記の実施例を含む。
【００１０】
本発明に係る条件検出による通話終了装置の好適な実施例は、通話終了の条件が設定される設定部と、前記設定部で設定した終了条件および取消条件を保存する終了条件保存部と、前記終了条件保存部に保存された通話終了条件を検出する終了条件検出部と、音声信号、音声メッセージおよびメールを送受信する通信部と、前記通信部を介して受信された或いは保存部に保存された音声メッセージを出力する音声出力部と、前記設定部で設定された通話終了条件を前記終了条件保存部に保存し、前記通信部を介して音声信号が送受信される通話中に前記終了条件検出部から終了条件検出信号が印加されると、前記通信部をオフにして通話を終了する制御部とを含んでなり、前記設定部で設定された通話終了条件は、音声信号、入力キーの選択信号、および通話時間のいずれか一つであり、前記設定部は、入力される通話終了条件が検出された後に終了を取り消すように設定された終了取消条件を前記終了条件保存部に保存し、前記終了取消条件は、音声信号および入力キーのいずれか一つに設定されることを特徴とする。
【００１１】
本発明の他の実施例において、前記条件検出による通話終了装置は、前記終了条件検出部で通話終了条件が検出された後に前記終了取消条件の入力を感知して前記制御部へ終了取消条件検出信号を出力する終了取消管理部をさらに含む。
【００１２】
本発明の別の実施例において、前記条件検出による通話終了装置は、前記制御部で通話終了条件の検出に応じて前記通信部をオフにする前に、前記音声出力部を介して出力する通話終了を知らせる音声メッセージが保存された保存部をさらに含む。
【００１３】
本発明に係る条件検出による通話終了方法の好適な実施例において、通話中に自動的に通話を終了するための通話終了条件、および通話終了条件が検出された後に通話終了を取り消すように終了取消条件を設定する条件設定段階と、前記条件設定段階で設定された通話終了条件が検出されると通話を終了させる通話終了段階とを含んでなり、前記条件設定段階で設定される通話終了条件は、携帯端末のユーザーが音声として入力する音声信号、多数の入力キーの中から選ばれたいずれか一つの入力キー、および通話時間のうちいずれか一つであり、前記終了取消条件は、入力される音声信号、または多数の入力キーの中から選ばれたずれか一つの入力キーの選択信号であることを特徴とする。
【００１４】
本発明の別の実施例において、前記条件設定段階は、携帯端末に設置された入力キーの操作によってアプリケーション駆動信号が印加されると、アプリケーションを駆動させるアプリケーション駆動段階と、前記アプリケーション駆動段階で駆動されたアプリケーションを介してユーザーが通話終了条件を設定する入力条件受信段階と、前記入力条件受信段階で音声入力、通話時間およびキー入力のいずれか一つを介して通話終了条件が入力されるかを判断する判断段階と、前記判断段階で入力された通話終了条件を保存する保存段階とを含んでなる。
【００１５】
本発明の別の実施例において、前記入力条件受信段階は、前記アプリケーション駆動段階で駆動されるアプリケーションを介して通話終了条件が検出された後に通話終了を取り消すように終了取消条件を設定することを特徴とする。
【００１６】
本発明の別の実施例において、前記通話終了段階は、携帯端末の通話中に前記通話終了条件が検出されるかを判断する条件検出判断段階と、前記条件検出判断段階で通話終了条件が検出されると、設定された待ち時間をカウントする待ち時間終了判断段階と、前記待ち時間終了判断段階で設定された待ち時間の間に終了取消条件が検出されるかを判断する取消判断段階と、前記待ち時間終了判断段階で設定された待ち時間の間に終了取消条件が検出されなければ、通話を終了する音声案内メッセージを出力する段階とを含んでなる。
【実施例】
【００１７】
以下に添付図面を参照しながら、本発明に係る条件検出による通話終了装置および方法の好適な実施例を詳細に説明する。
図１は本発明に係る条件検出による通話終了装置を示すブロック図である。
【００１８】
図１を参照すると、本発明に係る条件検出による通話終了装置は、通話終了条件および通話終了取消条件が設定される設定部１１と、前記設定部１１で設定した通話終了条件を検出する終了条件検出部１３と、前記設定部１１で設定された通話終了取消条件を検出する通話終了管理部１４と、前記設定部１１で設定した終了条件および取消条件を保存する終了条件保存部１７と、音声信号、音声メッセージおよびメールを送受信する通信部１６と、通話記録およびメッセージなどを保存する保存部１７と、音声信号が入力される音声入力部１８と、前記通信部１６を介して受信された或いは保存部１７に保存された音声メッセージを出力する音声出力部１９とを含んでなる。
【００１９】
前記設定部１１は、該当携帯端末で駆動されるアプリケーションを駆動させ、通話終了条件の入力を要求する案内メッセージと共に、ユーザーが選択した通話終了条件および通話終了取消条件を設定する。
【００２０】
ここで、前記通話終了条件は、ユーザーが入力した音声信号（例えば、「お疲れ様。」、「ではまた。」、「後で通話しましょう。」など）、前記携帯端末に設置される多数の入力キーの中から選ばれたいずれか一つの入力キー、および通話時間のうちいずれか一つが選択できる。
【００２１】
ここで、前記音声信号による選択の場合は、前記設定部１１で選択すると、前記音声入力部１８を介してユーザーの音声を入力するように要求し、入力された音声信号を前記終了条件保存部１７に保存する。
【００２２】
前記入力キーによる選択の場合は、前記携帯端末に設置される多数の入力キーの中からいずれか一つを選択および設定し、選ばれた入力キーから出力される選択信号を用いて通話終了条件を検出することができる。例えば、前記入力キーは、数字キー（１、２、３、…、０）のいずれか一つ、図形キー（＠、＃、＄、＜、％）のいずれか一つ、文字キー（韓／英、ｇ（ハングル文字の子音の一種）、ｎ（ハングル文字の子音の一種）、…、ａ、ｂ、ｃ…）のいずれか一つ、電源ボタン、またはタッチディスプレイからユーザーが任意に選択することができる。
【００２３】
前記通話時間による通話終了条件は、通話が開始した瞬間から時間をカウントし、一定の時間が経過すると自動的に強制終了させる方式である。ここで、ユーザーは、前記設定部１１によってディスプレイに出力される選択項目から時間による通話終了時間の選択メニューを選択し、通話時間を入力する。よって、前記通話時間による終了条件が設定されると、ユーザーが通話を開始した瞬間から時間がカウントされて設定時間が経過すると自動的に終了できる。
【００２４】
前記終了取消条件は音声入力と入力キーによって設定される。例えば、音声入力による終了取消条件は、通話終了の条件が検出された後に「ちょっと！」または「あのう」または「もうちょっとお時間頂けますか」などの音声メッセージに設定できる。
【００２５】
前記入力キーによる終了取消条件は、上述した終了検出条件によって設定された入力キーの他に、ユーザーが任意に設定した入力キーに設定されることが好ましい。
【００２６】
前記設定部１１は、前記終了検出条件と終了取消条件をディスプレイを介してユーザーが選択することができるように出力し、入力された選択信号を前記終了条件保存部１７に保存する。
【００２７】
前記終了条件検出部１３は、前記設定部１１で設定された終了条件に該当する音声信号、入力キーの入力信号および通話時間のうちいずれか一つに該当することを検出し、通話条件検出信号を前記制御部１２に印加する。
【００２８】
前記通話終了管理部１４は、前記設定部１１で設定された終了取消条件に該当する音声信号および入力キーの入力信号のうちいずれか一つを感知して前記制御部１２に印加する。
前記終了条件保存部１７は、前記設定部１１で設定された通話終了条件と終了取消条件を保存する。
前記通信部１６は、他の携帯端末または有線電話またはインターネット網を介して文字、音声およびメールを送受信する。
【００２９】
前記保存部１７は、前記通信部１６を介して受信される文字、音声メッセージおよびメールを保存する。ここで、前記保存部１７は、通話終了を案内する音声メッセージを保存する。
【００３０】
前記音声入力部１８は、ユーザーの音声を電気的な信号に変換させて出力する。ここで、前記音声入力部１８は、ユーザーの音声信号を電気的な信号に変換させて増幅および出力する。ここで、前記終了条件検出部１３と前記通話終了管理部１４は、前記音声入力部１８から出力される電気的な信号のうち、設定された通話終了条件または終了取消条件に該当する音声信号があるかを感知する。
【００３１】
前記音声出力部１９は、前記通信部１６を介して受信された音声メッセージをユーザーが聴取可能な信号に変換させて出力する。また、前記音声出力部１９は、前記制御部１２の制御によって、前記保存部１７に保存される通話終了音声案内メッセージを出力する。
【００３２】
前記制御部１２は、前記設定部１１で入力される通話終了条件と通話取消条件が受信されると、前記終了条件保存部１７に保存し、その後、前記終了条件検出部１３から終了条件検出信号が受信されると、前記保存部１７に保存された音声案内メッセージを前記音声出力部１９で出力するように制御する。前記制御部１２は、前記終了条件検出信号が受信されると、設定された時間の間に待ち時間内に前記通話終了管理部１４から終了取消検出信号が受信されるかを判断する。
【００３３】
よって、前記制御部１２は、前記通話終了管理部１４で設定された待ち時間の間に終了取消条件の検出信号がなければ、前記通信部１６を制御して現在の通話を終了する。逆に、前記終了取消条件が検出されると、現在の通話を持続させる。
本発明は前述したような構造を含んでおり、以下では、前述したような構成によって達成される本発明の作用を図２および図３を参照して詳細に説明する。
【００３４】
まず、本発明に係る条件検出による通話終了方法は、通話終了条件と終了取消条件を設定する条件設定段階と、前記条件設定段階で設定された通話終了条件と終了取消条件による通話終了段階とを含んでなる。
前記条件設定段階は、図２を参照して詳細に説明する。
図２は本発明に係る条件検出による通話終了方法における条件設定段階を示す順序図である。
【００３５】
図２を参照すると、前記条件設定段階は、携帯端末の入力キーの操作によってアプリケーション駆動信号が印加されると、アプリケーションを駆動させるアプリケーション駆動段階（Ｓ１１）と、前記アプリケーション駆動段階（Ｓ１１）で駆動されたアプリケーションを介してユーザーが通話終了条件と終了取消条件を設定した入力信号を受信する入力条件受信段階（Ｓ１２）と、前記入力条件受信段階（Ｓ１２）で音声入力、通話時間およびキー入力のうちいずれか一つを介して通話終了条件が入力されるかを判断する判断段階（Ｓ１３〜Ｓ１５）と、前記判断段階（Ｓ１３〜Ｓ１５）で入力された通話終了条件を保存する保存段階（Ｓ１６）と、前記保存段階（Ｓ１６）の後に終了取消条件を受信して保存する終了取消条件設定段階（Ｓ１７）と、設定された通話終了条件による条件検出信号が受信されることを判断する受信待ち段階（Ｓ１８）とを含む。
【００３６】
前記アプリケーション駆動段階（Ｓ１１）は、前記制御部１２が、前記入力キーを介しての選択命令によって前記設定部１１を制御してディスプレイ（図示せず）に通話終了条件を選択して入力することが可能なアプリケーションを出力する段階である。
前記入力条件受信段階（Ｓ１２）は、前記制御部１２で前記入力キーを介して入力されたユーザーの通話終了条件の選択信号を受信する段階である。
【００３７】
ここで、ユーザーは、前記携帯端末のディスプレイ（図示せず）を介して出力される通話終了条件の選択入力ウィンドウを介して通話終了条件を選択する。しかも、ユーザーは、通話時間、音声および入力キーの操作による通話終了条件の中からいずれか一つを選択することができる。
【００３８】
前記判断段階（Ｓ１３〜Ｓ１５）は、前記制御部１２が、前記入力条件受信段階（Ｓ１２）で受信されたユーザーの通話終了条件が音声入力による通話終了条件であるか或いは時間またはキー入力による通話終了条件であるかを判断する。
【００３９】
前記保存段階（Ｓ１６）は、前記判断段階（Ｓ１３〜Ｓ１５）で確認された通話終了条件を前記終了条件保存部１７に保存する段階である。ここで、前記制御部１２は、前記音声入力による通話終了条件が設定されると、ユーザーの音声を入力するメッセージをディスプレイに出力する。そして、前記制御部１２は、前記音声入力部１８を介して入力される音声入力信号を前記終了条件保存部１７に保存する。
または、前記制御部１２は、前記通話時間を設定した選択信号が印加されると、設定された時間を前記終了条件保存部１７に保存する。
また、前記制御部１２は、入力キーの選択による通話終了条件が設定されると、該当入力キーを通話終了条件として前記終了条件保存部１７に保存する。
【００４０】
前記終了取消条件設定段階（Ｓ１７）は、前記制御部１２が、前記設定部１１を介して入力される終了取消条件を受信して前記終了条件保存部１７に保存および設定する段階である。
【００４１】
ここで、前記設定部１１は、前記通話終了条件の入力を要求するメッセージと共に、前記終了取消条件を入力するように要求するメッセージを順次または一つの画面に同時に出力する。よって、ユーザーは、前記通話終了条件を入力した後に前記終了取消条件を入力して設定することができる。
従って、前記制御部１２は、前記設定部１１を介して入力された終了取消条件を受信して前記終了条件保存部１７に保存および登録設定する。
【００４２】
ここで、前記終了取消条件をユーザーが音声入力と設定した場合は、ユーザーが任意に選択して入力するようにする。例えば、ユーザーが音声入力を選択すると、前記設定部１１は終了取消条件に該当する音声信号を入力するように案内メッセージを出力する。
【００４３】
よって、ユーザーは自分の携帯端末に音声信号を入力する。例えば、「ちょっと」または「あのう」または「もう１回」などの音声を入力する場合、前記制御部１２は、前記音声入力部１８を介して入力された音声信号を終了条件保存部１７に保存し、終了取消条件として前記通話終了管理部１４に登録させる。
【００４４】
または、ユーザーが、終了取消条件として、自分の携帯端末に設置される多数の入力キーの中からいずれか一つを選択すると、前記制御部１２は、選択された入力キーを確認して終了取消条件として前記終了条件保存部１７に保存し、前記通話終了管理部１４に登録させる。
前記受信待ち段階（Ｓ１８）は、前記制御部１２で前述のように保存された通話終了条件と終了取消条件の検出信号が受信されることを待ちする段階である。
前述したような条件設定段階に続いて、ユーザーが自分の携帯端末を介して通話を始めると、前記通話終了段階を進行する。
前記通話終了段階は、図３を参照して説明する。
図３は本発明に係る条件検出による通話終了方法における通話終了段階を示す順序図である。
【００４５】
図３を参照すると、前記通話終了段階は、携帯端末で前記通信部１６を介して音声信号が送受信される通話段階（Ｓ２１）と、前記通話段階（Ｓ２１）で設定された通話終了条件が検出されるかを判断する条件検出判断段階（Ｓ２２）と、前記条件検出判断段階（Ｓ２２）で通話終了条件が検出されると、待ち時間をカウントする待ち時間終了判断段階（Ｓ２３）と、前記待ち時間終了判断段階（Ｓ２３）で待ち時間内に終了取消条件が検出されるかを判断する取消判断段階（Ｓ２４）と、前記待ち時間終了判断段階（Ｓ２３）で待ち時間が終了すると通話を終了する通話終了段階（Ｓ２６）とを含んでなる。また、前記条件検出判断段階（Ｓ２２）で通話終了条件が検出されなければ、通話終了信号が印加されることを判断する終了判断段階（Ｓ２５）をさらに含む。
【００４６】
前記通話段階（Ｓ２１）は、前記通信部１６を介して音声信号が送受信される段階である。ここで、前記制御部１２は、前記通信部１６を介して着信信号が受信されるか或いは入力キーを介して通話要請信号が印加されると、前記通信部１６を制御して、設定された番号へ通信要請信号を送信する。その後、制御部１２は、前記音声入力部１８を介して入力される音声信号を前記通信部１６に印加し、前記通信部１６を介して受信された音声信号を前記音声出力部１９を介して出力するように制御する。
【００４７】
前記条件検出判断段階（Ｓ２２）は、前記制御部１２が前記通話段階（Ｓ２１）で前記終了条件検出部１３の通話終了条件の検出信号が受信されることを判断する。
【００４８】
ここで、前記終了条件検出部１３は、前記条件設定段階（Ｓ２２）で設定された通話終了条件が通話時間である場合には、通話開始時間からカウントし、設定時間が経過したかを判断して前記制御部１２に印加する。
【００４９】
または、前記終了条件検出部１３は、前記条件設定段階で音声入力による通話終了条件が設定されると、前記音声入力部１８を介して入力される音声信号のうち該当音声信号を感知して前記制御部１２に条件検出信号を印加する。
【００５０】
または、前記終了条件検出部１３は、前記条件設定段階で入力キーの選択による通話終了条件が設定されると、多数の入力キーのうち設定された入力キーの選択信号を感知して前記制御部１２に条件検出信号を印加する。
【００５１】
前記待ち時間終了判断段階（Ｓ２３）は、前記制御部１２が、前記条件検出判断段階（Ｓ２２）で通話終了条件検出信号が印加されると、条件検出信号が印加された後に時間をカウントし、設定された待ち時間の経過を判断する段階である。
【００５２】
前記取消判断段階（Ｓ２４）は、前記制御部１２が、前記待ち時間終了判断段階（Ｓ２３）で設定された待ち時間の間に終了取消条件が検出されることを判断する段階である。前記制御部１２は、前記通話終了管理部１４から終了取消条件の検出信号が受信されることを判断する。ここで、前記通話終了管理部１４は、前記条件設定段階で前記終了取消条件として音声入力が設定された場合には、前記音声入力部１８に入力される音声信号のうち、設定された終了取消条件に該当する音声信号が入力されるかを判断する。
【００５３】
または、前記通話終了管理部１４は、前記条件設定段階で前記終了取消条件として入力キーの選択信号が設定された場合には、多数の入力キーのうち設定された入力キーが選択されるかを判断する。
【００５４】
したがって、前記取消判断段階（Ｓ２４）で、前記通話終了管理部１４は、終了取消条件に該当する音声信号または入力キーの選択信号が受信されると、前記制御部１２に終了取消条件の検出信号を印加する。
よって、前記制御部１２は、待ち時間のカウントを停止し、通話が続けられるように前記通信部１６を制御する。
【００５５】
前記通話終了段階（Ｓ２６）は、前記待ち時間終了判断段階（Ｓ２３）で設定された時間が全て経過すると、前記音声出力部１９を制御し、前記保存部１７に保存される音声メッセージを出力して通話終了を案内し、前記通信部１６をオフにして通話を終了させる段階である。ここで、前記制御部１２は、前記待ち時間終了判断段階（Ｓ２３）で設定された待ち中に終了取消検出信号が印加されなければ、前記保存部１７に保存された音声メッセージを前記音声出力部１９を介して出力する。そして、前記制御部１２は前記通信部１６をオフにして通話を終了する。
【００５６】
また、本発明は、前記条件検出判断段階（Ｓ２２）で通話終了条件が検出されなければ、通話終了信号が印加されるかを判断する終了判断段階（Ｓ２５）をさらに含む。
【００５７】
前記終了判断段階（Ｓ２５）は、前記制御部１２が、前記条件検出判断段階（Ｓ２２）で前記終了条件検出部１３の検出信号が印加されなければ、入力キーによる通話終了選択信号が受信されることを判断する段階である。
【００５８】
前記制御部１２は、前記終了条件検出部１３の条件検出信号が印加されず、通話終了入力キーが選択されると、前記通話終了段階（Ｓ２６）を行って前記通信部１６をオフにする。
【産業上の利用可能性】
【００５９】
本発明は、前述したような過程を経てユーザーが例えば、音声信号として、通話終了の条件に該当する音声を入力すると、これを検出して自動的に通話を終了するため、ユーザーの便宜性を向上させることができ、これによる通話時間の短縮により費用の支出を節減することができる。
【００６０】
以上、本発明は、記載された具体例について詳細に説明したが、本発明の技術思想の範囲内で様々な変形および修正を加え得るのは当業者にとって明白であり、それらの変形および修正も添付の特許請求の範囲に属するのは当たり前である。
【図１】
2015527789.tif 000003
【図２】
2015527789.tif 000004
【図３】
2015527789.tif 000005
【国際調査報告】
2015527789.tif 000006
2015527789.tif 000007
2015527789.tif 000008
2015527789.tif 000009
2015527789.tif 000010
2015527789.tif 000011